(57)【要約】  【課題】  Ｘ線透視撮影において被検者に確認することを減らし、Ｘ線透視撮影を円滑に進めるためのＸ線透視撮影装置を提供する。  【解決手段】  容器４を支持する容器支持器５と、支持されていることを検出する容器検出部と、容器検出部で検出したことを示す信号を出力する出力部７と、出力部７からの信号を入力する入力部と、入力部に信号が入力されたことに基づいて、容器４が容器支持器５で支持されていることを報知するスピーカ，ランプ，モニタとを備えているので、Ｘ線透視撮影者は、容器４自体が容器支持器５に支持されているか否かが直接見えない場合であっても、容器４が容器支持器５で支持されたか否かをＸ線透視撮影操作室内でスピーカ，ランプ，モニタでの報知により認識することができる。つまり、Ｘ線透視撮影者は、被検者に確認することを減らし、Ｘ線透視撮影を円滑に進めることができる。【選択図】    図２
2005334120.tif 000002
【特許請求の範囲】
【請求項１】
被検体の撮影部位にＸ線を照射するＸ線管と、被検体を透過したＸ線を検出するＸ線検出手段と、前記Ｘ線管と前記Ｘ線検出器との間に備えられた、被検体を載置するための天板と、前記天板を駆動する駆動手段と、前記駆動手段を駆動させる制御を行う駆動制御手段と、を備え、前記Ｘ線検出手段で検出されたＸ線検出信号に基づいてＸ線透視撮影を行うＸ線透視撮影装置において、Ｘ線透視撮影に用いる造影剤を入れるための容器を支持する容器支持器と、容器が前記容器支持器で支持されていることを検出する容器検出手段と、前記容器検出手段で検出したことを示す支持検出信号を出力する出力手段と、前記出力手段からの支持検出信号を入力する入力手段と、前記入力手段に支持検出信号が入力されたことに基づいて、容器が前記容器支持器で支持されていることを報知する報知手段と、を備えていることを特徴とするＸ線透視撮影装置。
【請求項２】
請求項１のＸ線透視撮影装置において、容器が前記容器支持器で支持されていないことを検出する前記容器検出手段と、前記容器検出手段で検出したことを示す未支持検出信号を出力する前記出力手段と、前記出力手段からの未支持検出信号を入力する前記入力手段と、を備え、前記入力手段に未支持検出信号が入力されたことに基づいて、前記駆動制御手段は、前記駆動手段が前記天板を駆動することを禁止するように制御することを特徴とするＸ線透視撮影装置。
【発明の詳細な説明】
【技術分野】
【０００１】
この発明は、産業用または医療用のＸ線透視撮影装置に係り、特に造影剤を入れるための容器が、容器支持器に支持されていることを容易に知るための技術に関する。
【背景技術】
【０００２】
被検者が造影剤（バリウム）を飲むことにより、被検者の体内（消化器官）に造影剤を充満させ、医師やＸ線技師により、Ｘ線の透過の具合を観察し、所定の関心部位の撮影を行うＸ線透視撮影装置がある。また、Ｘ線透視撮影装置には造影剤を入れるための容器（コップなど）を受ける、例えばバリウムコップ受けなどが備えられている。被検者は造影剤を飲む必要の無いときは、バリウムコップ受けに容器を置くようになっている（特許文献１参照）。
【特許文献１】特開平１１−７６２２９号公報
【発明の開示】
【発明が解決しようとする課題】
【０００３】
しかしながら、従来のＸ線透視撮影では、次のような問題がある。すなわち、Ｘ線透視撮影時において、Ｘ線透視撮影装置と被検者の所定関心部位との間に、Ｘ線透視撮影を行う必要のない腕などが重なり合うと正常なＸ線透視撮影を行うことができない。したがって、被検者がバリウムを飲む動作を行っている状態、または単にバリウムを入れるための容器を持っている状態においては、正常なＸ線透視撮影を行うことができない。そこで、被検者がバリウムを飲んでいる状態なのか否か、つまり、バリウムを入れるための容器がバリウムコップ受けに支持されているか否かを医師やＸ線技師または看護師などが直接目視にて確認するか被検者に尋ねる等の確認をする必要がある。つまり、Ｘ線透視撮影において被検者に確認することが多くなり、Ｘ線透視撮影を円滑に進めることの障害となる。
【０００４】
この発明は、このような事情に鑑みてなされたものであって、Ｘ線透視撮影において被検者に確認することを減らし、Ｘ線透視撮影を円滑に進めるためのＸ線透視撮影装置を提供することを目的とする。
【課題を解決するための手段】
【０００５】
この発明は、このような目的を達成するために、次のような構成をとる。
【０００６】
すなわち、被検体の撮影部位にＸ線を照射するＸ線管と、被検体を透過したＸ線を検出するＸ線検出手段と、前記Ｘ線管と前記Ｘ線検出器との間に備えられた、被検体を載置するための天板と、前記天板を駆動する駆動手段と、前記駆動手段を駆動させる制御を行う駆動制御手段と、を備え、前記Ｘ線検出手段で検出されたＸ線検出信号に基づいてＸ線透視撮影を行うＸ線透視撮影装置において、Ｘ線透視撮影に用いる造影剤を入れるための容器を支持する容器支持器と、容器が前記容器支持器で支持されていることを検出する容器検出手段と、前記容器検出手段で検出したことを示す支持検出信号を出力する出力手段と、前記出力手段からの支持検出信号を入力する入力手段と、前記入力手段に支持検出信号が入力されたことに基づいて、容器が前記容器支持器で支持されていることを報知する報知手段と、を備えていることを特徴とするものである。
【０００７】
［作用・効果］請求項１の発明によれば、Ｘ線管は、被検体の撮影部位にＸ線を照射する。Ｘ線検出手段は、被検体を透過したＸ線を検出する。Ｘ線管とＸ線検出器との間に備えられた天板は、被検体を載置する。駆動手段は、天板を駆動する。駆動制御手段は、駆動手段を駆動させる制御を行う。Ｘ線透視撮影装置は、Ｘ線検出手段で検出されたＸ線検出信号に基づいてＸ線透視撮影を行う。容器支持器は、Ｘ線透視撮影に用いる造影剤を入れるための容器を支持する。出力手段は、容器検出手段で検出したことを示す支持検出信号を出力する。入力手段は、出力手段からの支持検出信号を入力する。報知手段は、入力手段に支持検出信号が入力されたことに基づいて、容器が支持器で支持されていることを報知するので、被検者が造影剤を入れるための容器を手に持っていないことがＸ線透視撮影装置に備えられた報知手段により認識することができる。したがって、Ｘ線透視撮影を行う者は、Ｘ線透視撮影操作を行う部屋、例えばＸ線透視撮影操作室内から造影剤を入れるための容器が容器支持器に支持されているか否かが直接見えない場合であっても、Ｘ線透視撮影操作室内で容器が容器支持器で支持されたか否かを報知手段の報知により認識することができる。つまり、Ｘ線透視撮影を行う者は、被検者に確認することを減らし、Ｘ線透視撮影を円滑に進めることができる。
【０００８】
また、請求項２の発明は、請求項１のＸ線透視撮影装置において、容器が前記容器支持器で支持されていないことを検出する前記容器検出手段と、前記容器検出手段で検出したことを示す未支持検出信号を出力する前記出力手段と、前記出力手段からの未支持検出信号を入力する前記入力手段と、を備え、前記入力手段に未支持検出信号が入力されたことに基づいて、前記駆動制御手段は、前記駆動手段が前記天板を駆動することを禁止するように制御することを特徴とするものである。
【０００９】
［作用・効果］請求項２の発明によれば、容器検出手段は、容器が容器支持器で支持されていないことを検出する。出力手段は、容器検出手段で検出したことを示す未支持検出信号を出力する。入力手段は、出力手段からの未支持検出信号を入力する。入力手段に未支持検出信号が入力されたことに基づいて、駆動制御手段は、駆動手段が天板を駆動することを禁止するように制御するので、容器が容器支持器で支持されていない状態、つまり、被検者が容器を保持している状態では、駆動手段は天板を駆動されない。したがって、被検者が、造影剤が入っている容器を手に持って飲んでいるなどの不安定な状態の場合に、天板が駆動され、被検者が天板から落ちてけがをしたり、造影剤がこぼれて被検者Ｍの目などに入ったりすることを防ぐことができる。つまり、Ｘ線透視撮影を行う場合において、被検者の安全性を確保することができる。
【発明の効果】
【００１０】
被検体の撮影部位にＸ線を照射するＸ線管と、被検体を透過したＸ線を検出するＸ線検出手段と、Ｘ線管とＸ線検出器との間に備えられた、被検体を載置するための天板と、天板を駆動する駆動手段と、駆動手段を駆動させる制御を行う駆動制御手段と、を備え、Ｘ線検出手段で検出されたＸ線検出信号に基づいてＸ線透視撮影を行うＸ線透視撮影装置において、Ｘ線透視撮影に用いる造影剤を入れるための容器を支持する容器支持器と、容器が前記容器支持器で支持されていることを検出する容器検出手段と、容器検出手段で検出したことを示す支持検出信号を出力する出力手段と、出力手段からの支持検出信号を入力する入力手段と、入力手段に支持検出信号が入力されたことに基づいて、容器が容器支持器で支持されていることを報知する報知手段と、を備えているので、被検者が造影剤を入れるための容器を手に持っていないことがＸ線透視撮影装置に備えられた報知手段により認識することができる。したがって、Ｘ線透視撮影を行う者は、Ｘ線透視撮影操作を行う部屋、例えばＸ線透視撮影操作室内から造影剤を入れるための容器が容器支持器に支持されているか否かが直接見えない場合であっても、Ｘ線透視撮影操作室内で容器が容器支持器で支持されたか否かを報知手段の報知により認識することができる。つまり、Ｘ線透視撮影を行う者は、被検者に確認することを減らし、Ｘ線透視撮影を円滑に進めることができる。
【発明を実施するための最良の形態】
【００１１】
Ｘ線透視撮影装置１の構成について図１を用いて説明する。図１はＸ線透視撮影装置１の構成を示すブロック図である。図１に示すようにのＸ線透視撮影装置１は、Ｘ線透視撮影を行う者の操作の指示に基づいて、被検体Ｍの撮影部位にＸ線を照射するＸ線管２と被検体Ｍを透過したＸ線を検出するＸ線検出部３とにより、Ｘ線検出部３で検出されたＸ線検出信号に基づいてＸ線透視撮影を行う構成となっている。また、このＸ線透視撮影を行う者は、Ｘ線透視撮影操作を行う部屋、例えばＸ線操作室で操作を行い、また、Ｘ線を照射するＸ線管２，Ｘ線を検出するＸ線検出部３および検査を受ける被検体Ｍは、検査を行う部屋、例えば検査室に配置されている。
【００１２】
さらに、検査室に配置されたＸ線透視撮影装置１には、Ｘ線透視撮影に用いる造影剤（バリウム）を入れるための容器４（コップなど）を支持する容器支持器５が備えられている。この容器支持器５は、被検体Ｍを載置させる天板Ｂから伸びているアーム１５の先端に取付けられ、被検体Ｍの手が届き易いように配置されている。また、このアーム１５は、Ｘ線透視撮影に影響を及ぼさないように配置されている。
【００１３】
なお、「被検体Ｍ」は、Ｘ線透視撮影される患者である被検者の体であることを示したものであり、さらに、「被検者」の意味も含むものである。
【００１４】
次に、容器支持器５に係る構成について、図２を用いて説明する。図２は容器支持器５に係る構成を示す断面図である。図２に示すように容器４を支持する容器支持器５と、容器４が容器支持器５で支持されていることおよび支持されていないことを検出する容器検出部６と、容器検出部６で検出したことを示す支持検出信号および未支持検出信号を出力する出力部７とで構成されている。
【００１５】
容器支持器５は、容器４を支持する部分と被検体Ｍを載置させる天板Ｂに接続する部分とに分かれている。容器４を支持する部分は、容器４を支持するための十分な大きさがあり、図２での上側から容器４を入れるような凹形状となっている。また、容器４を支持する部分の左側および右側には容器４が容器支持器５で支持されていることを検出するための容器検出部６の発光部６ａと受光部６ｂが備えられている。
【００１６】
さらに、被検体Ｍを載置させる天板Ｂに接続する部分の容器支持器５上側には、孔１３がある。その孔１３にＴ字の形状をしたピン１４を容器支持器５側から挿入し、さらに、ピン１４の端がアーム１５に固定され、容器支持器５とアーム１５とは外れないようになっている。したがって、容器支持器５は、容器支持器５の孔１３がピン１４に沿うように摺動することで回転することができる。天板Ｂ本体が傾斜した場合に容器支持器５は、容器支持器５および容器４の自重により地面と水平になり、容器４に造影剤が入っている場合は、地面にこぼれ落ちないような構成になっている。
【００１７】
容器検出部６は、例えば、光を発光させる発光部６ａと、発光部６ａで発光された光を受光する受光部６ｂとを一組としたフォトセンサーで構成され、発光部６ａと受光部６ｂは対向するように備えられている。図２の右側に備えられた発光部６ａは、常に発光された状態であり、容器４が容器支持器５に支持されていない場合は、図２の左側に備えられた受光部６ｂで光を受光することになる。この場合は、受光した光を電気的なエネルギーとして変換する。また、容器４が容器支持器５に支持されている場合は、発光部６ａからの光は容器４により遮光され、受光部６ｂで受光されないようになっている。また、光を検出するセンサーとして、発光部６ａと受光部６ｂとを一組とした透過型のフォトセンサーを用いているが、光を反射させて検出する反射形のセンサーを用いるようにしても良い。なお、上述した容器検出部６は本発明における容器検出手段に相当する。
【００１８】
出力部７は、容器検出部６の受光部６ｂの近くに備えられ、容器検出部６の受光部６ｂにおいて変換された電気的なエネルギーを入力するようになっている。このエネルギーの入力が無い場合は、入力部８に支持検出信号を出力する。このエネルギーの入力が有る場合は、入力部８に未支持検出信号を出力する。なお、上述した出力部７は本発明における出力手段に相当する。
【００１９】
次に、図１に示すようにＸ線操作室には、出力部７からの支持検出信号および未支持検出信号を入力する入力部８と、入力部８に支持検出信号が入力されたことを報知するスピーカ９，ランプ１０および演算処理部１７とモニタ１８とを備える構成となっている。
【００２０】
入力部８は、出力部７からの支持検出信号が入力される。さらに、スピーカ９には、スピーカ用支持検出信号、ランプ１０には、ランプ用支持検出信号を出力する。また、入力部８は支持検出信号を演算処理部１７に出力する。また、出力部７から未支持検出信号が入力された場合は、この未支持検出信号を、撮影制御部２３および演算処理部１７に出力する。なお、上述した入力部８は本発明における入力手段に相当する。
【００２１】
スピーカ９とランプ１０は、Ｘ線操作室内の操作卓に備えられており、入力部８からのスピーカ用支持検出信号に基づいて、スピーカ９により音声（例えば、連続的なブザー音）を出力し、ランプ用支持検出信号に基づいて、ランプ１０が発光しＸ線透視撮影を行う者がＸ線透視撮影に用いる造影剤を入れるための容器４が容器支持器５で支持されたことを容易に確認できるようになっている。また、容器支持器５で容器４が支持されていない場合は、出力部７からの支持検出信号が入力部８に入力されず、スピーカ９からの音声出力、ランプ１０の発光出力はされない。したがって、一度、容器４が容器支持器５に支持された後、被検体Ｍが容器４を手に取るなどして容器４が容器支持器５で支持されていない状態にした場合は、スピーカ９からの音声出力とランプ１０の発光出力はなくなり、容器４が容器支持器５に支持されていないことがわかる。また、Ｘ線操作室内の操作卓には、スピーカ９の音量をＸ線透視撮影を行う者により調整することができるボリュームが備えられ、容器支持器５で容器４が支持されたことを確認した後など、スピーカ９からの音声出力が必要ない場合は、全く音声を出力しないようにすることもできる。
【００２２】
演算処理部１７は、入力部８からの支持検出信号および未支持検出信号を入力し、モニタ１８で画像表示される画像データを作成するための演算処理がされ、さらに、この画像データをモニタ１８に出力する。
【００２３】
モニタ１８は、演算処理部１７から出力された支持検出信号に基づく画像データを入力し、所定の画像を表示する。例えば、容器支持器５に容器４が支持されたことを示す「容器支持器にコップが入っている絵」などが表示されるようになっており、Ｘ線透視撮影を行う者が容易に確認できるようになっている。また、演算処理部１７から出力された未支持検出信号に基づく画像データを入力し、所定の画像を表示する。例えば、容器支持器５に容器４が支持されておらず、天板が駆動されない状態であることを示す「容器未支持に付き天板駆動禁止中」などが表示されるようになっており、Ｘ線透視撮影を行う者が容易に確認できるようになっている。また、モニタ１８はスピーカ９、ランプ１０と同様にＸ線透視撮影操作室内の操作卓に備えられている。なお、上述したスピーカ９，ランプ１０，モニタ１８は本発明における報知手段に相当する。
【００２４】
次に、容器支持器５に容器が支持されたことをＸ線透視撮影を行う者が認識する流れについて説明する。Ｘ線透視撮影時において、被検体Ｍが容器支持器５に造影剤を入れるための容器４を置くと、容器検出部６の発光部６ａからの光が遮光され受光部６ｂで光を検出しなくなる。この受光部６ｂでの光の検出が無くなったことに基づいて、出力部７では、光から電気的に変換されたエネルギーが入力されず、容器検出部６で検出したと判断する。さらに、出力部７からは容器検出部６での検出に基づいて支持検出信号が出力され、この支持検出信号が入力部８に入力されることによりスピーカ９で音声として出力され、ランプ１０により光として出力され、モニタ１８で画像表示される。
【００２５】
次に、Ｘ線透視撮影装置１のＸ線透視撮影に係る構成について説明をする。図１に示すようにＸ線照射用のＸ線管１１は、照射制御部１９のコントロールにより管電圧・管電流などの設定照射条件にしたがってＸ線を被検体Ｍに照射されるように構成されている。
【００２６】
Ｘ線検出部３は、被検体Ｍを透過したＸ線を検出してＸ線検出信号を出力する。このＸ線検出部３から出力されるＸ線検出信号は、被検体ＭによるＸ線の減衰度に対応した信号強度を有しており、一旦、データ収集部２０に記憶されて、Ａ／Ｄ変換器２１を介してデジタル信号に変換される。デジタル信号に変換された検出信号は、演算処理部１７で記憶されるようになっている。なお、上述したＸ線検出部３は本発明におけるＸ線検出手段に相当する。
【００２７】
Ｘ線透視撮影装置１の制御系側には、Ｘ線照射に伴ってＸ線検出部３から出力されるデジタル信号に基づいて必要な各種信号処理を実行する演算処理部１７と、必要な信号処理により得られた二次元のＸ線画像を表示するためのモニタ１８などを備えている。
【００２８】
撮影制御部２３は、操作部による指示・数値データ等の入力操作や撮影の進行状況に応じて必要な命令やデータを各部へ適時に送出する制御を実行するように構成され、天板駆動部２２を駆動させる制御を行うなどＸ線透視撮影を行うための様々な制御を行いＸ線透視撮影装置１全体が正常に作動する。詳細には、撮影制御部２３は、入力部８からの未支持検出信号を入力し、この未支持検出信号の入力に基づいて、天板駆動部２２が天板Ｂを駆動することを禁止する駆動禁止制御を行う。また、入力部８からの未支持検出信号の入力がなくなると、天板駆動部２２への駆動禁止制御は中止される。なお、上述した撮影制御部２３は本発明における駆動制御手段に相当する。
【００２９】
天板駆動部２２は、撮影制御部２３からの駆動禁止制御に基づいて、天板Ｂを駆動させることを禁止する。例えば、天板駆動部２２が駆動中であるの場合は、駆動を中止し、天板Ｂは停止することになる。また、天板駆動部２２が駆動していない場合は、天板Ｂは、停止された状態を撮影制御部２３からの駆動禁止制御が中止されるまで継続される。
【００３０】
天板Ｂは、撮影制御部２３からの制御に基づいた天板駆動部２２の駆動により、被検体Ｍを載せた状態で天板Ｂを傾斜させたり、水平状態にさせたり、横向けにさせたり、長手方向に対して前後左右に移動させられるように、必要な関心部位の撮影を行うことができるように構成されている。なお、上述した天板駆動部２２は本発明における駆動手段に相当する。
【００３１】
上述したように、Ｘ線透視撮影装置１によれば、被検体Ｍが造影剤を入れるための容器４を手に持っていないことがＸ線透視撮影装置１に備えられたスピーカ９，ランプ１０，モニタ１８により報知されるので、Ｘ線透視撮影を行う者は、Ｘ線透視撮影を行うための操作を行う部屋、例えばＸ線透視撮影操作室から造影剤を入れるための容器４自体が容器支持器５に支持されているか否かが直接見えない場合であっても、Ｘ線透視撮影操作室内で容器４が容器支持器５で支持されたか否かをスピーカ９，ランプ１０，モニタ１８の報知により認識することができる。つまり、Ｘ線透視撮影を行う者は、被検体Ｍに確認することを減らし、Ｘ線透視撮影を円滑に進めることができる。
【００３２】
また、上述したように、Ｘ線透視撮影装置１によれば、容器４が容器支持器５で支持されていない場合は、天板Ｂが駆動されないので、被検者Ｍが、造影剤が入っている容器４を手に持って飲んでいるなどの不安定な状態の場合に、天板Ｂが駆動され、被検者Ｍが天板Ｂから落ちてけがをしたり、造影剤がこぼれて被検者Ｍの目などに入ったりすることを防ぐことができる。つまり、Ｘ線透視撮影を行う場合において、被検者Ｍの安全性を確保することができる。
【００３３】
この発明は、上記実施形態に限られることはなく、下記のように変形実施することができる。
【００３４】
（１）報知手段としてランプ１０を用いて説明していたが、ランプ１０に限られず、発光ダイオードなどの発光素子を用いて発光出力させるようにしてもよい。
【００３５】
（２）モニタ１８での表示は、容器支持器５に容器が支持されたこと示す「容器支持器にコップが入っている絵」などを表示させるようになっていたが、文字として、例えば「バリウムコップは置かれています」などの表示をおこなうようにしてもよい。
【図面の簡単な説明】
【００３６】
【図１】Ｘ線透視撮影装置の構成を示すブロック図である。
【図２】容器支持器に係る構成を示す断面図である。
【符号の説明】
【００３７】
１  …Ｘ線透視撮影装置
２  …Ｘ線管
３  …Ｘ線検出部（Ｘ線検出手段）
４  …容器
５  …容器支持器
６  …容器検出部（容器検出手段）
６ａ  …発光部（容器検出手段）
６ｂ  …受光部（容器検出手段）
７  …出力部（出力手段）
８  …入力部（入力手段）
９  …スピーカ（報知手段）
１０  …ランプ（報知手段）
１８  …モニタ（報知手段）
２２  …天板駆動部（駆動手段）
２３  …撮影制御部（駆動制御手段）
Ｂ  …天板
【図１】
2005334120.tif 000003
【図２】
2005334120.tif 000004